(57)【要約】      （修正有）【課題】才能を生かす職場を求めるタレントの要望と、有望なタレントを求める芸能プロダクション等の要望とをマッチングさせ、収益を上げるシステムを提供する。【解決手段】サイト運営会社は、インターネット上サーバに、スポーツ、芸能などの仕事を求めるタレント顔写真や紹介文からなるジャンル別タレントリストとその技量をアピールする映像及び／又は音楽コンテンツとを含むタレント紹介サイトを構築する。また、タレントの募集や応募の受付業務を通じてタレントリストのデータや前記映像・音楽コンテンツのデジタルデータを取得し、前記タレント紹介サイトの管理運営を行う。タレント紹介サイトは、インターネットを通じて芸能プロダクションなどのネットユーザにタレントの映像・音楽コンテンツを配信する映像・音楽配信手段と、この映像・音楽コンテンツの配信に対して所定の金額をインターネットを通じてネットユーザに課金する課金手段を備えている。【選択図】図１
2006099539.tif 000002
【特許請求の範囲】
【請求項１】
スポーツ、芸能など専門分野での仕事を求めるタレントの顔写真や紹介文からなるジャンル別のタレントリストとこのタレントリストに掲載されたタレントごとにその技量をアピールするために制作された映像及び／又は音楽コンテンツとを含むインターネット上のサーバに構築されたタレント紹介サイトと、タレントの募集やタレントからの応募の受付業務を通じて前記タレントリストのデータや前記映像及び／又は音楽コンテンツのデジタルデータを取得し、該データに基づいて前記タレント紹介サイトの管理運営を行うサイト運営会社と、前記インターネットを通じて芸能プロダクションなどのネットユーザに前記映像及び／又は音楽コンテンツを配信する前記タレント紹介サイトに格納された映像・音楽配信手段と、前記映像及び／又は音楽コンテンツの配信に対して所定の金額を前記インターネットを通じて前記ネットユーザに課金する前記タレント紹介サイトに格納された課金手段とを備えたことを特徴とするタレント紹介システム。
【発明の詳細な説明】
【技術分野】
【０００１】
本発明は、ダンサー、バンド、歌手、ＤＪ、ゴルフのティーチングプロなど技能や芸能の面で優れた才能を持っている人やグループ（以下タレントと称する）と、これらのタレントを探している人や芸能プロダクションなどの会社との間を仲介し、タレントの求職活動を容易にするとともに、芸能プロダクションなどの会社のタレント発掘活動を効率的に行うことができるようにするためのインターネットを利用したタレント紹介システムに関する。
【背景技術】
【０００２】
世の中には、ダンスや歌、その他のジャンルで才能を持っているが、それを生かすチャンスに恵まれないタレントが大勢いる。一方、芸能プロダクションでは、有望なタレントを発掘するために、オーディションを催したり、タレントの募集をしたりして日々努力しているが、限定された人数の中から求める人材を探し出すのはきわめて難しく思うような成果が上がっていないと言うのが実情である。
【発明の開示】
【発明が解決しようとする課題】
【０００３】
現在、才能を生かす職場を求めるタレントと、タレントを求める芸能プロダクションなどの企業とを効率的にマッチングさせる能率的なシステムが見当たらない。
本発明の主たる目的は、大勢のタレントに、自分の才能を広く世の中の人に知ってもらう場を提供し、タレントを探している側の企業等に対しても、大勢のタレントの中から求める人材を容易に検索できるシステムを提供することであり、タレント側の、自分の才能を生かして世に出たいという要望と、有望なタレントを見つけたいという企業側の要望とをインターネットを利用してマッチングさせることである。
【課題を解決するための手段】
【０００４】
上記目的を達成するため本発明は、スポーツ、芸能など専門分野での仕事を求めるタレントの顔写真や紹介文からなるジャンル別のタレントリストとこのタレントリストに掲載されたタレントごとにその技量をアピールするために制作された映像及び／又は音楽コンテンツとを含むインターネット上のサーバに構築されたタレント紹介サイトと、タレントの募集やタレントからの応募の受付業務を通じて前記タレントリストのデータや前記映像及び／又は音楽コンテンツのデジタルデータを取得し、該データに基づいて前記タレント紹介サイトの管理運営を行うサイト運営会社と、前記インターネットを通じて芸能プロダクションなどのネットユーザに前記映像及び／又は音楽コンテンツを配信する前記タレント紹介サイトに格納された映像・音楽配信手段と、前記映像及び／又は音楽コンテンツの配信に対して所定の金額を前記インターネットを通じて前記ネットユーザに課金する前記タレント紹介サイトに格納された課金手段とを備えたものである。
【発明の効果】
【０００５】
本発明は、タレント側は大勢の人に自分の技量をアピールする場が与えられるため、望む職場が得られるチャンスが大きくなる。また、企業側は、有望なタレントを見いだすことが容易となるとともに、サイト運営会社は映像及び／又は音楽配信によって収益を上げるこができる。
【発明を実施するための最良の形態】
【０００６】
以下に本発明の実施の形態を添付した図面を参照して詳細に説明する。
図１は本システムのブロック説明図であり、本システムの、タレント紹介サイト２を管理運営するサイト運営会社４は、不特定多数の、仕事を求めるダンサー、バンドグループ、歌手、ＤＪ、ゴルフレッスンプロ等のタレント６との間で、タレント紹介サイト２に登録することに関して交渉を行う。交渉が成立すると、タレント６は、所定の登録料をサイト運営会社４に支払う。
【０００７】
タレント６と、サイト運営会社４との間で登録交渉が成立すると、サイト運営会社４は、デジタル映像・音楽コンテンツ制作会社８に、タレントの技量や演技、歌唱力、魅力、スター性等をアピールする映像あるいは音楽コンテンツの制作を依頼する。この映像・音楽コンテンツ制作会社８は、外部の会社でも良く、また、サイト運営会社４自ら経営する制作会社であっても、また、サイト運営会社の社員が構成する制作スタッフであっても良い。
【０００８】
また、映像・音楽コンテンツ８は、タレント６がデジタルビデオカメラで自ら作成した映像又は音楽コンテンツであっても良い。この映像・音楽コンテンツは、一人のタレント又はひとつのグループに付き、約２分に設定されている。サイト運営会社４は、インターネット上にＷｅｂサーバ１０とデータベースサーバ１２を構築し、このＷｅｂサーバ１０にタレント紹介サイト２を保存するとともに、該タレント紹介サイト２にデータベースサーバ１２に登録されたタレントの映像をリンクし、該サイトを管理運営する。
【０００９】
前記タレント紹介サイト２のトップページには、タイトル表示欄１４、カテゴリー分類欄１６、システム説明欄１８、タレント採用欄２０等が表示される。芸能プロダクションのスタッフなどのネットユーザ３２がカテゴリー分類欄１６をクリックすると、登録されたタレント達を、ジャンル別、五十音別、地域別等に分けて分類したカテゴリー分類リスト２２が表示される。このリストを選択すると、選択したカテゴリーに属するタレントの顔写真と紹介文２４が表示され、所望のタレントをヒットすると、そのタレントの売り込みのために作成された映像・音楽コンテンツ８が表示される。
【００１０】
この映像又は音楽は、ネットユーザ３２の端末で視聴することが基本だが、ダウンロードすることも可能とすることができる。タレント紹介サイト２のトップページから映像・音楽コンテンツのダウンロードまでの過程は階層構造となっており、ネットユーザ３２は求めるタレントの映像又は音楽に容易にたどり着くことができるように構成されている。システム説明欄１８をクリックすると、本システムの概要を記載したシステム内容説明文２６や、料金体系２８、入会手続き説明文３０が表示され、サイトアクセス者に本システムの内容が理解できるようになっている。
【００１１】
採用交渉欄２０は、ネットユーザ３２がタレント６の採用に関して、サイト運営会社４とコンタクトをとるための欄であり、この欄を通じて、芸能プロダクション側又は一般ユーザなどのネットユーザ３２は、サイト運営会社４の担当者と電子メールで交渉ができる構成となっている。前記タレント紹介サイト２には、課金プログラム３８，ネットユーザのための入会プログラム３４，映像・音楽配信プログラム３６が組み込まれている。
【００１２】
会員資格のあるネットユーザ３２には、該タレント紹介サイト２を通じてタレントの映像又は音楽が配信される。この映像及び／又は音楽配信に対して、配信を受けるネットユーザ３２に課金が行われる。本実施形態では、映像１分に付き１００円がネットユーザ３２に課金され、これはサイト運営会社４の収益となる。配信される映像は基本的には時間は２分であるが、時間に関しては制限を設けない。尚、この１００円という金額は固定的なものではなく、適宜適正な金額が設定される。ネットユーザ１２には、タレント紹介サイト上で、タレントの顔写真と紹介文までは無料で公開される。
【００１３】
タレントの映像又は音楽を見たいネットユーザは、タレント紹介サイト２を通じて会員登録を行う必要がある。会員登録を行った芸能プロダクション等のネットユーザ３２は、インターネットを通じて、所望のタレントの映像・音楽コンテンツ８を鑑賞する。条件にかなったタレントと出演交渉を行う場合には、タレント紹介サイトの採用交渉欄２０を通じて、サイト運営会社４の担当者と電子メールで交渉しても良いし、また、サイト運営会社４の担当者と直接交渉する。
【００１４】
サイト運営会社４の担当者は、芸能プロダクション等のネットユーザ３２とタレントとの交渉を仲介し、両者の間に採用契約が成立した場合には、両者から仲介手数料を徴収する。また、サイト運営会社４は、芸能プロダクションあるいは、タレント側から要望があれば、積極的にプロデュース活動を行う。
【００１５】
本発明は、芸能タレントだけに限らず多目的にさまざまな人材を求める企業等に紹介及び仲介を行うことができる。また、サイト運営会社４は、タレント紹介サイト２に企業等の求人広告掲載も行い、これに対して広告手数料を徴収する。この場合、タレント紹介サイト２に具体的な求人の条件を掲載する求人広告スペースを提供する。
【図面の簡単な説明】
【００１６】
【図１】本発明に係るタレント紹介システムのブロック説明図である。
【図２】タレント紹介サイトの機能ブロック説明図である。
【符号の説明】
【００１７】
２      タレント紹介サイト  
４      サイト運営会社        
６      タレント
８      映像・音楽コンテンツ
１０    Ｗｅｂサーバ
１２    データベースサーバ
１４    タイトル表示欄
１６    カテゴリー分類欄
１８    システム説明欄
２０    採用交渉欄
２２    カテゴリー分類リスト
２４    顔写真と紹介文
２６    説明文
２８    表
３０    説明文
３２    ネットユーザ
３４    入会プログラム
３６    映像・音楽配信プログラム
３８    課金プログラム
【図１】
2006099539.tif 000003
【図２】
2006099539.tif 000004